(57)【要約】【課題】電力消費を抑制し、使用者が姿勢を変化させなくとも暗所で表示を視認することができる電子機器を提供する。【解決手段】入力部は操作入力を受け付け、計時部は前記操作入力を受け付けてからの経過時間を計測し、表示部は前記計測部が計測した経過時間を表示し、照明部は前記表示部に光線を供給し、表示制御部は前記入力部が計測開始を表す操作入力を受け付けてから予め定めた第１の時間が経過したとき、前記照明部に供給する電力を予め定めた電力から低下させる。【選択図】図２
2013156164.tif 000002
【特許請求の範囲】
【請求項１】
操作入力を受け付ける入力部と、
前記入力部が計測開始を表す操作入力を受け付けてからの経過時間を計測する計時部と、
前記計時部が計測した経過時間を表示する表示部と、
前記表示部に光線を供給する照明部と、
前記入力部が計測開始を表す操作入力を受け付けてから予め定めた第１の時間が経過したとき、前記照明部に供給する電力を予め定めた電力から低下させる表示制御部と、
を備えることを特徴とする電子機器。
【請求項２】
前記表示制御部は、前記第１の時間が経過したとき、前記照明部の輝度を予め定めた輝度から低下させること
を特徴とする請求項１に記載の電子機器。
【請求項３】
前記表示制御部は、前記第１の時間が経過したとき、前記照明部に供給する電流を予め定めた電流から低下させること
を特徴とする請求項１に記載の電子機器。
【請求項４】
前記表示制御部は、前記第１の時間が経過したとき、前記表示部のコントラストを予め定めたコントラストよりも高くすること
を特徴とする請求項１に記載の電子機器。
【請求項５】
前記表示制御部は、計測開始以外の指示を表す操作入力を受け付けてから予め定めた第２の時間が経過したとき、前記照明部に供給する電力を予め定めた電力から低下させ、前記第１の時間は、前記第２の時間よりも長いこと
を特徴とする請求項１に記載の電子機器。
【請求項６】
操作入力を受け付ける入力部と、
前記入力部が計測開始を表す操作入力を受け付けてからの経過時間を計測する計時部と、
使用者の走行距離を計測する距離計測部と、
前記計時部が計測した経過時間を表示する表示部と、
前記表示部に光線を供給する照明部と、
前記入力部が計測開始を表す操作入力を受け付けてから予め定めた第１の距離が経過したとき、前記照明部に供給する電力を予め定めた電力から低下させる表示制御部と、
を備えることを特徴とする電子機器。
【請求項７】
前記表示制御部は、前記第１の距離が経過したとき、前記照明部の輝度を予め定めた輝度から低下させること
を特徴とする請求項６に記載の電子機器。
【請求項８】
前記表示制御部は、前記第１の距離が経過したとき、前記照明部に供給する電流を予め定めた電流から低下させること
を特徴とする請求項６に記載の電子機器。
【請求項９】
前記表示制御部は、前記第１の距離が経過したとき、前記表示部のコントラストを予め定めたコントラストよりも高くすること
を特徴とする請求項６に記載の電子機器。
【請求項１０】
前記表示制御部は、計測開始以外の指示を表す操作入力を受け付けてから予め定めた第２の距離が経過したとき、前記照明部に供給する電力を予め定めた電力から低下させ、前記第１の距離は、前記第２の距離よりも長いこと
を特徴とする請求項６に記載の電子機器。
【発明の詳細な説明】
【技術分野】
【０００１】
本発明は、電子機器に関する。
【背景技術】
【０００２】
運動時に経過時間を表示するストップウォッチ等の電子機器には、照明機能を備えているものがある。これにより、夜間等、照度が低い環境下でも、使用者は表示を視認できる。しかし、照度が低い暗所において、運動中の使用者に操作を強いることは、利便性を失わせ安全を確保できないおそれがある。他方、常に照明を点灯させると電力を必要以上に消費するため、電源の電力が早期に消耗してしまうことがある。そこで、使用者が時刻を目視する姿勢、例えば、腕の向きを顔面に向ける姿勢を検出した時に、照明を点灯させる電子機器が提案されていた。
【０００３】
例えば、特許文献１には、各種情報を表示する表示装置と、この表示装置の表示面を照らす照明装置と、この照明装置をオン／オフさせるスイッチ装置とをケース内に収納した電子機器であって、スイッチ装置はケースの傾斜を検出し、その検出パルス信号を出力する姿勢検出手段と、予め設定された時間を計測する時間計測手段と、予め設定された時間中の検出パルス信号の数を計数する計数手段と、この計数手段による計数値が一定値以上の際にスイッチ信号を照明装置に出力して点灯させる制御手段とを具備したことを特徴とする電子機器が記載されている。
【先行技術文献】
【特許文献】
【０００４】
【特許文献１】特開平８−２２７５５号公報
【発明の概要】
【発明が解決しようとする課題】
【０００５】
しかしながら、特許文献１に記載の電子機器では、スイッチの設定や使用者毎に異なる装着状態によっては姿勢変化を検出できないことがある。そのような場合、照明装置が点灯して時刻表示が視認できるまで使用者は、必要以上に姿勢を変化させることがある。例えば、使用者が腕を繰り返して動かすことや、必要以上に強く動かすことがある。暗所において運動を行っている状況では、使用者の安全を確保できないおそれがある。
【０００６】
本発明は上記の点に鑑みてなされたものであり、電力消費を抑制し、使用者が姿勢を変化させなくとも暗所で表示を視認することができる電子機器を提供する。
【課題を解決するための手段】
【０００７】
（１）本発明は上記の課題を解決するためになされたものであり、本発明の一態様は、操作入力を受け付ける入力部と、前記入力部が計測開始を表す操作入力を受け付けてからの経過時間を計測する計時部と、前記計時部が計測した経過時間を表示する表示部と、前記表示部に光線を供給する照明部と、前記入力部が計測開始を表す操作入力を受け付けてから予め定めた第１の時間が経過したとき、前記照明部に供給する電力を予め定めた電力から低下させる表示制御部と、を備えることを特徴とする電子機器である。
【０００８】
（２）本発明の他の態様は、上述の電子機器において、前記表示制御部は、前記第１の時間が経過したとき、前記照明部の輝度を予め定めた輝度から低下させることを特徴とする。
【０００９】
（３）本発明の他の態様は、上述の電子機器において、前記表示制御部は、前記第１の時間が経過したとき、前記照明部に供給する電流を予め定めた電流から低下させることを特徴とする。
【００１０】
（４）本発明の他の態様は、上述の電子機器において、前記第１の時間が経過したとき、前記表示部のコントラストを予め定めたコントラストよりも高くすることを特徴とする。
【００１１】
（５）本発明の他の態様は、上述の電子機器において、前記表示制御部は、計測開始以外の指示を表す操作入力を受け付けてから予め定めた第２の時間が経過したとき、前記照明部に供給する電力を予め定めた電力から低下させ、前記第１の時間は、前記第２の時間よりも長いことを特徴とする。
【００１２】
（６）本発明の他の態様は、操作入力を受け付ける入力部と、前記入力部が計測開始を表す操作入力を受け付けてからの経過時間を計測する計時部と、使用者の走行距離を計測する距離計測部と、前記計時部が計測した経過時間を表示する表示部と、前記表示部に光線を供給する照明部と、前記入力部が計測開始を表す操作入力を受け付けてから予め定めた第１の距離が経過したとき、前記照明部に供給する電力を予め定めた電力から低下させる表示制御部と、を備えることを特徴とする電子機器である。
【００１３】
（７）本発明の他の態様は、上述の電子機器において、前記表示制御部は、前記第１の距離が経過したとき、前記照明部の輝度を予め定めた輝度から低下させることを特徴とする。
【００１４】
（８）本発明の他の態様は、上述の電子機器において、前記表示制御部は、前記第１の距離が経過したとき、前記照明部に供給する電流を予め定めた電流から低下させることを特徴とする。
【００１５】
（９）本発明の他の態様は、上述の電子機器において、前記表示制御部は、前記第１の距離が経過したとき、前記表示部のコントラストを予め定めたコントラストよりも高くすることを特徴とする。
【００１６】
（１０）本発明の他の態様は、上述の電子機器において、前記表示制御部は、計測開始以外の指示を表す操作入力を受け付けてから予め定めた第２の距離が経過したとき、前記照明部に供給する電力を予め定めた電力から低下させ、前記第１の距離は、前記第２の距離よりも長いことを特徴とする。
【発明の効果】
【００１７】
本発明によれば、電力消費を抑制し、使用者が姿勢を変化させなくとも暗所で表示を視認することができる。
【図面の簡単な説明】
【００１８】
【図１】本発明の第１の実施形態に係る電子機器の構成を表す概略図である。
【図２】本実施形態に係る電子機器の要部の構成を表す概略図である。
【図３】本実施形態に係る表示ユニットの表面を表す表面図である。
【図４】本実施形態に係る表示ユニットの断面を表す断面図である。
【図５】本実施形態に係る表示処理を表すフローチャートである。
【図６】本実施形態に係る電子機器の構成を表す概略図である。
【図７】本実施形態に係る電子機器の要部の構成を表す概略図である。
【図８】本実施形態に係る表示処理を表すフローチャートである。
【図９】本実施形態に係る発光部を通過する電流値の時間変化の一例を表す図である。
【発明を実施するための形態】
【００１９】
（第１の実施形態）
以下、図面を参照しながら本発明の第１の実施形態について説明する。
本実施形態に係る電子機器１は、例えば、利用者の操作によって指示された計測開始時からの経過時間を計測する機能を有する計時装置（クロノグラフ[ｃｈｒｏｎｏｇｒａｐｈ]、ストップウォッチ［ｓｔｏｐ  ｗａｔｃｈ］）である。電子機器１は、また、経過時間を計測するクロノグラフ機能付き腕時計に限られず、係る機能を備える携帯電話機、携帯情報端末装置であってもよい。
【００２０】
まず、電子機器１の構成について説明する。
図１は、本実施形態に係る電子機器１の構成を表す概略図である。
電子機器１は、ＣＰＵ（Ｃｅｎｔｒａｌ  Ｐｒｏｃｅｓｓｉｎｇ  Ｕｎｉｔ；中央処理装置）１１、入力部１２、発振部１３、表示部１５、照明部１６、データ記憶部１７、報音部１８及び電源部１９を含んで構成される。
【００２１】
ＣＰＵ１１は、経過時間を計測し、計測した経過時間を表す経過時間信号を生成する。ＣＰＵ１１は、生成した経過時間信号を表示部１５に出力する。ＣＰＵ１１は、入力部１２から操作入力信号としてラップ信号又は停止信号が入力されたとき、生成した経過時間情報をデータ記憶部１７に記憶する。
ＣＰＵ１１は、電源部１９からの電源の供給が開始されると、予めＲＯＭ（Ｒｅａｄ  Ｏｎｌｙ  Ｍｅｍｏｒｙ、図示せず）に記憶されたプログラムを読み出し、読み出したプログラムを実行する。ＣＰＵ１１は、入力部１２から入力された操作入力信号を報音部１８に出力する。ＣＰＵ１１のより詳細な構成については、後述する。
【００２２】
入力部１２は、使用者の操作入力を検出し、検出した操作入力信号をＣＰＵ１１に出力する。入力部１２は、例えば、操作ボタンを１個又は複数個含む。操作ボタンには、例えば、モード切替ボタン、開始（スタート）ボタン、ラップボタン、停止（ストップ）ボタン、リセットボタンが含まれる。
【００２３】
モード切替ボタンは、動作モード（動作態様の種類）を選択するためのボタンである。モード切替ボタンが押下されると、入力部１２は、モードを切り替えることを表すモード切替信号を操作入力信号としてＣＰＵ１１に出力する。開始ボタンは、経過時間の計測を開始することを指示するためのボタンである。開始ボタンが押下されると、入力部１２は、計測を開始することを表す開始信号を操作入力信号としてＣＰＵ１１に出力する。ラップボタンは、計測途中の経過時間（ラップタイム）を表示することを指示するためのボタンである。ラップボタンが押下されると、入力部１２は、計測途中の経過時間を表示することを表すラップ信号を操作入力信号としてＣＰＵ１１に出力する。停止ボタンは、経過時間の計測を停止することを指示するためのボタンである。停止ボタンが押下されると、入力部１２は、停止することを表す停止信号を操作入力信号としてＣＰＵ１１に出力する。リセットボタンは、計測した経過時間をゼロに再設定し、再度経過時間を計測できる状態に再設定することを指示するためのボタンである。リセットボタンが押下されると、入力部１２は、リセットすることを表すリセット信号を操作入力信号としてＣＰＵ１１に出力する。
【００２４】
発振部１３は、クロック信号（クロック周波数は、例えば、３２７６８Ｈｚ）を生成し、生成したクロック信号を分周して、より低い周波数（例えば、１００Ｈｚ）をもつ計時基準信号を生成する。発振部１３は、生成した計時基準信号をＣＰＵ１１に出力する。
【００２５】
表示部１５は、ＣＰＵ１１から入力された経過時間信号が表す経過時間を表示する。表示部１５は、例えば、液晶ディスプレイ（ＬＣＤ、Ｌｉｑｕｉｄ  Ｃｒｙｓｔａｌ  Ｄｉｓｐｌａｙ）である。表示部１５のより詳細な構成については後述する。
照明部１６は、表示部１５に光線を供給する。照明部１６は、例えば、発光ダイオード（ＬＥＤ、Ｌｉｇｈｔ  Ｅｍｉｔｔｉｎｇ  Ｄｉｏｄｅ）を含んで構成される。照明部１６のより詳細な構成については後述する。
【００２６】
データ記憶部１７は、上述の経過時間信号以外にも、ＣＰＵ１１が処理によって生成したデータを一時的に記憶する。データ記憶部１７は、例えば、ＲＡＭ（Ｒａｎｄｏｍ  Ａｃｃｅｓｓ  Ｍｅｍｏｒｙ）を含んで構成される。
報音部１８は、ＣＰＵ１１から操作入力信号が入力されたとき、操作入力があったことを表す報知音（例えば、周波数２ｋＨｚ、継続時間２００ｍｓの可聴音）を生成する。また、報音部１８は、予めＣＰＵ１１に設定された時刻に報知音を生成する。
電源部１９は、電子機器１を構成する各構成部（上述のＣＰＵ１１等を含む）に動作に要する電力を供給する。電源部１９は、例えば、一定の電圧値で電力を供給する乾電池である。
【００２７】
次に、本実施形態に係る電子機器１の要部の構成について説明する。
図２は、本実施形態に係る電子機器１の要部の構成を表す概略図である。
電子機器１は、ＣＰＵ１１と表示ユニット１４を含んで構成される。
ここで、電子機器１は、入力部１２が操作入力を受け付けた時点からの経過時間を計測し、操作入力を受け付けた後、照明部１６に予め定めた大きさの電力を供給し、予め定めた第１の時間が経過したとき、照明部１６に供給する電力を低下させる。また、電子機器１は、第１の時間が経過したとき、表示部１５のコントラストを予め定めたコントラストよりも高くする。また、電子機器１は、入力部１２がその他の機能に係る操作入力を受け付けた後、照明部１６に予め定めた大きさの電力を供給し、予め定めた第２の時間が経過した後、照明部１６に供給する電力を低下させる。ここで、第１の時間は、第２の時間よりも長い。
【００２８】
まず、表示ユニット１４の構成について説明する。表示ユニット１４は、表示部１５及び照明部１６を含んで構成される。
【００２９】
表示部１５は、電子機器１の裏側に備えられた照明部１６が放射する光線を通過させる。表示部１５は、ＣＰＵ１１から入力された表示駆動信号が表す表示領域に電圧が印加される。この電圧が印加される表示領域が、その周囲の領域よりも光の透過率が低下する。そのため、利用者は、光の透過率が低下した表示領域に現れた文字から計測された経過時間等を表す文字や図形を、電子機器１の表側から視認することができる。また、表示領域に印加される電圧値が高いほど光の透過率が低下するため、コントラストが高くなる。表示部１５の構成例については後述する。
【００３０】
照明部１６は、発光部１６１、抵抗部１６２−１、１６２−２を含んで構成される。
発光部１６１は、表示部１５の裏面に備えられ、電源部１９から供給された電力を用いて光線を放射する。発光部１６１は、電源部１９から入力された電流を抵抗部１６２−１、１６２−２に出力する。電源部１９から入力された電流の電流値が大きいほど、発光部１６１が放射する光線の輝度が大きくなる。
抵抗部１６２−１、１６２−２は、発光部１６１から入力された電流を、それぞれＣＰＵ１１に出力する。抵抗部１６２−１の抵抗値Ｒ１は、抵抗部１６２−２の抵抗値Ｒ２よりも大きくともよいし、小さくともよい。また、抵抗値Ｒ１とＲ２は等しくともよい。但し、以下の説明では、特に断らない限り抵抗値Ｒ１がＲ２よりも小さい場合を例にとって説明する。
【００３１】
照明部１６は、かかる構成により、３段階の抵抗値のうちいずれかをとりうる。例えば、抵抗部１６２−１、１６２−２の出力端がともに接地されている場合における、照明部１６の抵抗値ＲHは、式（１）で表される。
【００３２】
【数１】
2013156164.tif 000003
【００３３】
式（１）において、Ｒ０は、発光部１６１の抵抗値を表す。式（１）右辺の第２項は、抵抗部１６２−１、１６２−２が並列接続された場合の合成抵抗値を表す。
抵抗部１６２−１の出力端が接地され、抵抗部１６２−２の出力端が開放されている場合、照明部１６の抵抗値ＲMは、Ｒ０＋Ｒ１となる。抵抗部１６２−１の出力端が接地され、抵抗部１６２−２の出力端が開放されている場合、照明部１６の抵抗値ＲLは、Ｒ０＋Ｒ２となる。これより、抵抗値ＲHが、ＲH、ＲM、ＲLのうち最小であり、ＲH、ＲM、ＲLの順で大きくなる。発光部１６１に電源部１９から供給される電源電圧が一定であるため、照明部１６の抵抗値をＲH、ＲM、ＲLのいずれかに切り替えることで、発光部１６１の電流値を、それぞれＩH、ＩM、ＩLのいずれかに変更することができる。このとき、電流値ＩHは、ＩH、ＩM、ＩLのうち最大であり、ＩH、ＩM、ＩLの順で小さくなる。従って、照明部１６の抵抗値をＲH、ＲM、ＲLのいずれかに切り替えることで、放射する光線の輝度（以下、単に輝度と呼ぶ）を高（Ｈ）、中（Ｍ）、低（Ｌ）のいずれかに変更することができる。
【００３４】
次に、ＣＰＵ１１の構成について説明する。ＣＰＵ１１は、モード切替部１１１、計時部１１２、表示制御部１１３を含んで構成される。表示制御部１１３は、表示駆動部１１５及び輝度制御部１１６を含んで構成される。簡単のため、ＣＰＵ１１が、輝度をＨかＭのいずれかに変更する場合を例にとって説明する。
【００３５】
モード切替部１１１は、入力部１２から入力されたモード切替信号に基づいて1つの動作モードを選択する。動作モードには、例えば、経過時間を計測する経過時間計測モード（クロノグラフ計測モード）、現在の時刻を表示する時刻表示モード、報音部１８が報知音を生成する時刻を設定するアラーム設定モードが含まれる。モード切替部１１１は、入力部１２からモード切替信号が入力される毎に、上述の動作モードのうちの１つの動作モードから他の１つの動作モードに順次変更する。モード切替部１１１は、選択した動作モードを表す動作モード信号を計時部１１２、表示駆動部１１５、輝度制御部１１６に出力する。
【００３６】
計時部１１２は、モード切替部１１１から入力された動作モード信号が経過時間計測モードを表す場合には、以下の処理を行う。
計時部１１２は、入力部１２から操作入力信号として開始信号が入力されたとき、発振部１３から入力された計時基準信号に基づいて経過時間の計測を開始する。計時部１１２は、経過時間を計測するために、例えば、計時基準信号の信号値のピーク値の数を計数する。計時部１１２は、計測した経過時間を表す経過時間信号を逐次に生成し、生成した経過時間信号を表示駆動部１１５に出力する。
計時部１１２は、入力部１２から操作入力信号としてラップ信号が入力されたとき、生成した経過時間信号をデータ記憶部１７に記憶させる。計時部１１２は、このとき、表示駆動部１１５に出力する経過時間信号を予め定めた第１の時間（例えば、３秒間）一定値に維持（ホールド）する。但し、計時部１１２は、経過時間の計測を継続する。
計時部１１２は、入力部１２から操作入力信号として停止信号が入力されたとき、経過時間の計測を停止し、計測を停止したときの経過時間信号をデータ記憶部１７に記憶させる。計時部１１２は、表示駆動部１１５に出力する経過時間信号を一定値に維持（ホールド）する。
計時部１１２は、入力部１２から操作入力信号としてリセット信号が入力されたとき、データ記憶部１７に記憶した経過時間信号を消去し、初期値を表す経過時間信号を生成する。計時部１１２は、この経過時間信号を表示駆動部１１５に出力する。
【００３７】
なお、計時部１１２は、発振部１３から入力された計時基準信号に基づいて現在の時刻を表す時刻情報を逐次に生成する。生成した時刻情報を表示駆動部１１５及び輝度制御部１１６に出力する。
【００３８】
表示駆動部１１５は、モード切替部１１１から入力された動作モード信号が経過時間計測モード（クロノグラフ計測モード）を表す場合には、以下の処理を行う。
表示駆動部１１５は、計時部１１２から入力された経過時間信号が表す経過時間に基づいて、その経過時間の数値を表示する表示領域に電圧を印加するための表示駆動信号を生成する。表示駆動部１１５は、生成した表示駆動信号を表示部１５に出力する。
【００３９】
ここで、表示駆動部１１５は、入力部１２から操作入力信号として開始信号が入力されてから予め定めた第１の時間（例えば、１０分間）が経過するまでは、表示部１５のコントラストを予め定めた値（以下、通常コントラスト値と呼ぶ）に定める。即ち、この間、表示駆動部１１５は、表示駆動信号の印加電圧を予め定めた通常の値（例えば、３．０Ｖ、以下、通常電圧値と呼ぶ）とする。
第１の時間が経過した後、表示駆動部１１５は、表示部１５のコントラストを前述の通常コントラスト値よりも高い値（以下、高コントラスト値と呼ぶ）に定める。即ち、第１の時間が経過した後、表示駆動部１１５は、表示駆動信号の印加電圧を通常電圧値よりも高い値（例えば、３．３Ｖ、以下、高電圧値と呼ぶ）に定める。
なお、表示部１５のコントラストの制御にかかる消費電力は、照明部１６を点灯させるための消費電力に比べて無視できるほど小さい。例えば、表示部１５に電圧を印加する際の電流は、１μＡ程度であるのに対し、照明部１６を点灯させる際の電流は、１ｍＡ程度である。
【００４０】
ここで、表示駆動部１１５は、入力部１２から、計測開始以外の、その他の種類の指示を表す操作入力信号、例えば、ラップ信号、停止信号、リセット信号のいずれかが入力されてから予め定めた第２の時間（例えば、３秒間）が経過するまでは、表示部１５のコントラストを通常コントラスト値に定める。
第２の時間が経過した後、表示駆動部１１５は、表示部１５のコントラストを高コントラスト値に定める。
【００４１】
表示駆動部１１５は、モード切替部１１１から入力された動作モード信号が時刻表示モード、又はその他の動作モードを表す場合には、計時部１１２から入力された時刻信号が表す時刻の数値を表示する表示領域に電圧を印加するための表示駆動信号を生成する。表示駆動部１１５は、生成した表示駆動信号を表示部１５に出力する。表示駆動部１１５は、表示駆動信号の印加電圧を通常電圧値に定める。即ち、表示駆動部１１５は、表示部１５のコントラストを通常コントラスト値に定める。
なお、表示駆動部１１５は、上述した時間の経過を、計時部１１２から入力された時刻信号、又は発振部１３から入力された計時基準信号に基づいて判断する。
【００４２】
輝度制御部１１６は、端子（ポート）１１６１−１、１１６１−２、１１６１−３、可動切片１１６２を含んで構成される。端子１１６１−１は、抵抗部１６２−１から入力された電流を受け付ける。端子１１６１−２は、抵抗部１６２−２から入力された電流を受け付ける。端子１１６１−３は、接地（ＧＮＤ）されており、可動切片１１６２から受け付けた電流を吸収する。
【００４３】
輝度制御部１１６は、入力部１２から入力された操作入力信号に基づいて可動切片１１６２により端子１１６１−３と短絡させる端子を、端子１１６１−１、１１６１−２のいずれか、又は両方かを選択する。これにより、発光部１６１を流れる電流、即ち発光部１６１の消費電力を変更することで、発光部１６１が放射する光線の輝度を、上述のＬ、Ｍ、Ｈのいずれかに制御することができる。例えば、輝度Ｌ、Ｍ、Ｈのとき、電流は、それぞれ０．５、１．０、１．５ｍＡである。
【００４４】
輝度制御部１１６が、モード切替部１１１から入力された動作モード信号が経過時間計測モード（クロノグラフ計測モード）を表す場合には、以下の処理を行う。
輝度制御部１１６は、入力部１２から操作入力信号として開始信号が入力されてから上述の第１の時間が経過するまでは、可動切片１１６２により端子１１６１−３を端子１１６１−１及び１１６１−２に短絡させる。即ち、輝度制御部１１６は、開始信号入力直後において発光部１６１が放射する光線の輝度をＨとする。以下、開始信号入力直後における輝度を通常輝度値と呼ぶ。
第１の時間が経過した後、輝度制御部１１６は、可動切片１１６２により端子１１６１−３を、端子１１６１−１のみに短絡させる。即ち、輝度制御部１１６は、発光部１６１が放射する光線の輝度をＬに低下させる。
【００４５】
輝度制御部１１６は、入力部１２から、その他の種類の操作入力信号、例えば、ラップ信号、停止信号、リセット信号のいずれかが入力されてから上述の第２の時間が経過するまでは、可動切片１１６２により端子１１６１−３を端子１１６１−１及び１１６１−２に短絡させる。即ち、輝度制御部１１６は、発光部１６１が放射する光線の輝度を通常輝度値Ｈに戻す。
第２の時間が経過した後、輝度制御部１１６は、可動切片１１６２により端子１１６１−３を端子１１６１−１のみに短絡させる。即ち、輝度制御部１１６は、発光部１６１が放射する光線の輝度をＬに低下させる。
【００４６】
なお、本実施形態では、上述の例には限られず、ＣＰＵ１１は、例えば、発光部１６１が放射する光線の輝度を、Ｈを通常輝度値として第１の時間又は第２の時間経過後Ｍに制御してもよいし、又はＭを通常輝度値として第１の時間又は第２の時間経過後ＭかＬに制御してもよい。
輝度制御部１１６は、上述のように入力された操作入力信号に基づいて発光部１６１が放射する光線の輝度を、Ｈを通常輝度値として第１の時間又は第２の時間経過後Ｍに変更する場合、さらに輝度をＬに制御する処理を加えてもよい。ここで、第１の時間又は第２の時間から予め定めた第３の時間（例えば、１０分）が経過した後、輝度制御部１１６は可動切片１１６２により端子１１６１−３を端子１１６１−２のみに短絡させる。このようにして、輝度制御部１１６は、発光部１６１が放射する光線の輝度を３段階以上の輝度のいずれかに制御してもよい。
【００４７】
輝度制御部１１６は、モード切替部１１１から入力された動作モード信号が時刻表示モード、又はその他の動作モードを表す場合には、可動切片１１６２により端子１１６１−３を端子１１６１−１及び１１６１−２に短絡させる。即ち、輝度制御部１１６は、発光部１６１が放射する光線の輝度をＨとする。
【００４８】
なお、輝度制御部１１６は、操作入力信号が時刻表示モード、又はその他の動作モードを表す場合、入力されてから予め定めた時間（例えば、３秒）が経過した後、可動切片１１６２により端子１１６１−３と、端子１１６１−１及び１１６１−２を開放してもよい。この場合、輝度制御部１１６は、発光部１６１による光線の放射を停止する（自動消灯、オートパワーオフとも呼ばれる）。また、輝度制御部１１６は、その後、入力部１２から操作入力信号が入力された場合、可動切片１１６２により端子１１６１−３と、端子１１６１−１及び１１６１−２に短絡させてもよい。即ち輝度制御部１１６は、発光部１６１の輝度をＨに戻す。
【００４９】
なお、輝度制御部１１６は、上述した時間の経過を、計時部１１２から入力された時刻信号、又は発振部１３から入力された計時基準信号に基づいて判断する。
【００５０】
次に、表示ユニット１４の外観の一例について説明する。
図３は、本実施形態に係る表示ユニット１４の表面を表す表面図である。
表示ユニット１４は、透明の表示窓１５５で表面が覆われた液晶パネルを含んで構成される。上述のように、表示ユニット１４は、液晶パネル上の表示領域１５８に表示駆動信号による電圧が印加され、その領域に文字、例えば「１９：４６」が表われる。
【００５１】
次に、表示領域１５８を横切るＡＡ’線を通過する断面について説明する。
図４は、本実施形態に係る表示ユニット１４の断面を表す断面図である。
図４において上方、下方は、それぞれ表示ユニット１４の表面、裏面を表す。
表示ユニット１４は、発光部１６１、液晶パネル１５１、表示窓１５５が順に重なって構成されている。そのうち、表示窓１５５、液晶パネル１５１、表示部１５に含まれ、発光部１６１が照明部１６に含まれる。
【００５２】
発光部１６１が点灯したときに放射した光線は、液晶パネル１５１、表示窓１５５を透過する。液晶パネル１５１は、表面と裏面にそれぞれ基板１５２、１５３を備え、基板１５２、１５３の間に液晶（例えば、ツイステッドネマスティック（Ｔｗｉｓｔｅｄ  Ｎｅｍａｓｔｉｃ；ＴＮ）液晶）層１５４を挟む。ここで、基板１５２、１５３の間に電圧が印加されると液晶層１５３における光線の透過率が低くなり、発光部１６１が放射する光線が遮蔽される。そのため、基板１５２、１５３の間に電圧が印加された表示領域１５８において文字が黒く現れる。また、印加電圧が高くなるほど、光線の透過率が低くなるため文字が鮮明に現れ、コントラストが高くなる。
【００５３】
次に、本実施形態に係る表示処理について説明する。
図５は、本実施形態に係る表示処理を表すフローチャートである。
（ステップＳ１０１）計時部１１２は、モード切替部１１１から入力された動作モード信号が経過時間計測モードを表す場合、入力部１２から操作入力信号として開始信号が入力されたか（スタートボタンを押下）否か判断する。開始信号が入力されない場合（ステップＳ１０１  Ｎ）、ステップＳ１０１を繰り返す。開始信号が入力された場合（ステップＳ１０１  Ｙ）、ステップＳ１０２に進む。
【００５４】
（ステップＳ１０２）計時部１１２は、発振部１３から入力された計時基準信号に基づいて経過時間の計測を開始する。計時部１１２は、計測した経過時間を表す経過時間信号を逐次に生成し、生成した経過時間信号を表示駆動部１１５に出力する。その後、ステップＳ１０３に進む。
（ステップＳ１０３）輝度制御部１１６は、発光部１６１が放射する光線の輝度を通常輝度値Ｈとして点灯させる。また、表示駆動部１１５は、表示部１５のコントラストを通常コントラスト値に定める。その後、ステップＳ１０４に進む。
（ステップＳ１０４）表示駆動部１１５、輝度制御部１１６は、計時部１１２から入力された時刻信号に基づいて、上述の第１の時間が経過したか否か判断する。第１の時間が経過していないと判断された場合（ステップＳ１０４  Ｎ）、ステップＳ１０４を繰り返す。第１の時間が経過したと判断された場合（ステップＳ１０４  Ｙ）、ステップＳ１０５に進む。
【００５５】
（ステップＳ１０５）輝度制御部１１６は、発光部１６１が放射する光線の輝度をＬに低下させる。その後、ステップＳ１０６に進む。
（ステップＳ１０６）表示駆動部１１５は、表示部１５のコントラストを高コントラスト値に切り替える。その後、ステップＳ１０７に進む。
【００５６】
（ステップＳ１０７）計時部１１２、表示駆動部１１５、輝度制御部１１６は、入力部１２から上述のその他の種類の操作入力信号が入力されたか否か判断する。その他の種類の操作入力信号が入力されなかったと判断された場合（ステップＳ１０７  Ｎ）、ステップＳ１０７を繰り返す。その他の種類の操作入力信号が入力されたと判断された場合（ステップＳ１０７  Ｙ）、ステップＳ１０８に進む。
（ステップＳ１０８）計時部１１２、表示駆動部１１５、輝度制御部１１６は、入力部１２から入力された操作入力信号が停止信号か（ストップボタンを押下）否か判断する。停止信号である場合（ステップＳ１０８  Ｙ）、ステップＳ１１５に進む。停止信号でない場合（ステップＳ１０８  Ｎ）、ステップＳ１０９に進む。
【００５７】
（ステップＳ１０９）輝度制御部１１６は、発光部１６１が放射する光線の輝度を通常輝度値Ｈに変更して点灯させる。その後、ステップＳ１１０に進む。
（ステップＳ１１０）表示駆動部１１５は、表示部１５のコントラストを通常コントラスト値に低下させる。その後、ステップＳ１１１に進む。
（ステップＳ１１１）計時部１１２は、入力部１２から入力された操作入力信号に応じた機能に係る処理を実行する。例えば、ラップ信号が入力されたとき、計時部１１２は、生成した経過時間信号をデータ記憶部１７に記憶させ、表示駆動部１１５に出力する経過時間信号を第１の時間だけ一定値に維持する。その後、ステップＳ１１２に進む。
（ステップＳ１１２）表示駆動部１１５、輝度制御部１１６は、計時部１１２から入力された時刻信号に基づいて、上述の第２の時間が経過したか否か判断する。第２の時間が経過していないと判断された場合（ステップＳ１１２  Ｎ）、ステップＳ１１２を繰り返す。第２の時間が経過したと判断された場合（ステップＳ１１２  Ｙ）、ステップＳ１１３に進む。
【００５８】
（ステップＳ１１３）輝度制御部１１６は、発光部１６１が放射する光線の輝度をＬに低下させる。その後、ステップＳ１１４に進む。
（ステップＳ１１４）表示駆動部１１５は、表示部１５のコントラストを高コントラスト値に切り替える。その後、ステップＳ１０７に進む。
【００５９】
（ステップＳ１１５）計時部１１２は、経過時間の計測を終了する。その後、ステップＳ１１６に進む。
（ステップＳ１１６）表示駆動部１１５、輝度制御部１１６は、計時部１１２から入力された時刻信号に基づいて、上述の第２の時間が経過したか否か判断する。第２の時間が経過していないと判断された場合（ステップＳ１１６  Ｎ）、ステップＳ１１６を繰り返す。第２の時間が経過したと判断された場合（ステップＳ１１６  Ｙ）、ステップＳ１１７に進む。
【００６０】
（ステップＳ１１７）輝度制御部１１６は、照明部１６を消灯させる。その後、ステップＳ１１８に進む。
（ステップＳ１１８）表示駆動部１１５は、表示部１５のコントラストを通常コントラスト値に切り替える。その後、処理を終了する。
【００６１】
このように、本実施形態によれば、入力部１２が操作入力を受け付けた時点からの経過時間を計測し、計測した経過時間を表示する表示部に光線を供給する照明部を備える。また、本実施形態によれば操作入力を受け付けた後、照明部に予め定めた大きさの電力を供給し、予め定めた第１の時間が経過したとき、照明部に供給する電力を低下させる。これにより、使用者は暗所において運動を行うときでも必要以上に姿勢を変えることなく経過時間等の表示を視認することができる。そのため、電力消費を抑制しつつ運動中における安全を確保することができる。さらに、本実施形態によれば、予め第１の時間が経過したとき、照明部のコントラストを高くする。これにより、照明部の輝度が低下しても表示の視認性の低下を緩和することができる。
【００６２】
（第２の実施形態）
次に、本発明の第２の実施形態について説明する。第１の実施形態と同一の構成又は処理については、同一の符号を付する。
図６は、本実施形態に係る電子機器２の構成を表す概略図である。
電子機器２は、ＣＰＵ２１、入力部１２、発振部１３、表示部１５、照明部１６、データ記憶部１７、報音部１８、電源部１９及び加速度検出部２２を含んで構成される。
【００６３】
加速度検出部２２は、使用者の歩行した時の加速度を検出する。加速度検出部２２は、例えば、加速度センサである。加速度検出部２２は、検出した加速度を表す加速度信号をＣＰＵ２１に出力する。
【００６４】
次に、ＣＰＵ２１の構成について説明する。
図７は、本実施形態に係る電子機器２の要部の構成を表す概略図である。
ＣＰＵ２１は、モード切替部１１１、計時部１１２、表示制御部１１３、距離計測部２１１を含んで構成される。
距離計測部２１１は、加速度検出部２２から入力された加速度信号に基づいて歩数を計数する。歩数を計数するために、距離計測部２１１は、例えば、加速度信号の極大値又は負値から正値に変化する点である零交差の数を累積する。距離計測部２１１は、計数した歩数に予め設定した歩幅（例えば、６０ｃｍ−１．２ｍ）を乗算して走行距離を算出する。距離計測部２１１は、算出した走行距離を表す距離情報を表示制御部１１３に出力する。
【００６５】
次に、本実施形態に係る表示処理について説明する。
図８は、本実施形態に係る表示処理を表すフローチャートである。
本実施形態に係る表示処理では、図５に示す表示処理と同様にステップＳ１０１−１０３を実行する。その後、ステップＳ２０４に進む。
（ステップＳ２０４）表示駆動部１１５、輝度制御部１１６は、距離計測部２１１から入力された距離情報に基づいて、入力部１２から操作入力信号として開始信号が入力されてから予め定めた第１の距離（例えば、２００ｍ−５００ｍ）が経過したか否か判断する。第１の距離が経過していないと判断された場合、ステップＳ２０４を繰り返す。第２の距離が経過したと判断された場合、ステップＳ１０５に進む。そして、ステップＳ１０５−１１１を実行する。その後、ステップＳ２１２に進む。
【００６６】
（ステップＳ２１２）表示駆動部１１５、輝度制御部１１６は、距離計測部２１１から入力された距離情報に基づいて、上述の第２の距離（例えば、６ｍ−１２ｍ）が経過したか否か判断する。第２の距離が経過していないと判断された場合（ステップＳ２１２  Ｎ）、ステップＳ２１２を繰り返す。第２の距離が経過したと判断された場合（ステップＳ２１２  Ｙ）、ステップＳ１１３に進む。
【００６７】
このように、本実施形態によれば、入力部１２が操作入力を受け付けた時点からの経過時間を計測し、計測した経過時間を表示する表示部に光線を供給する照明部と、使用者の走行距離を計測する距離計測部を備える。また、本実施形態によれば操作入力を受け付けた後、照明部に予め定めた大きさの電力を供給し、予め定めた第１の距離が経過したとき、照明部１６に供給する電力を低下させる。これにより、使用者は暗所において運動を行うときでも必要以上に姿勢を変えることなく経過時間等の表示を視認することができる。そのため、電力消費を抑制しつつ運動中における安全を確保することができる。さらに、本実施形態によれば、予め第１の距離が経過したとき、照明部１６のコントラストを高くする。これにより、照明部１６の輝度が低下しても表示の視認性の低下を緩和することができる。
【００６８】
上述では、照明部１６は、抵抗部１６２−１、１６２−２を備え、輝度制御部１１６が照明部１６の抵抗値を変化させて、発光部１６１が消費する電力を制御する場合を例にとって説明したが、上述した実施形態ではこれには限られない。上述した実施形態では、例えば、発光部１６１を通過する電流を予め定めた時間間隔Ｔで断続させることによって、断続させない場合よりも発光部１６１の消費電力を低減してもよい。
【００６９】
図９は、発光部１６１を通過する電流値の時間変化の一例を表す図である。
図９において、横軸は時刻を表し、縦軸は電流値を表す。図９において、時刻０−Ｔ、２Ｔ−３Ｔ、４Ｔ−５Ｔ…のとき、電力値はＩであり、時刻Ｔ−２Ｔ、３Ｔ−４Ｔ、５Ｔ−６Ｔ…のとき、電力値は０である。この場合において、消費電力は、電力値を一定値Ｉに維持する場合の半分の消費電力に低減される。ここで、時間間隔Ｔを約０．１秒よりも短くすれば、使用者は、残像効果のために照明部１６が常に発光しているが輝度が低下したように知覚する。なお、本実施形態では、上述のように発光部１６１に電流を通過させる時間と通過させない時間との比率が同一でなくともよい。本実施形態では、発光部１６１に電流を通過させる時間の比率を通過させない時間の比率をより小さくすることによって、消費電力をより低減してもよい。発光部１６１が放射する光線の輝度を、上述のＨ、Ｍ、Ｌのいずれかに制御する代わりに、発光部１６１に電流を通過させる時間の比率（以下、通電時間比と呼ぶ）を、例えば１．０（大）、０．６（中）、０．２（小）と制御してもよい。
【００７０】
上述では、輝度制御部１１６は、計時部１１２から入力された時刻信号に基づいて、第１の時間又は第２の時間が経過したときに、発光部１６１が放射する光線の輝度や通電時間比を低下させる場合を例にとって説明した。ここで、輝度制御部１１６は、時季や緯度に応じて発光部１６１が放射する光線の輝度を低下させる度合い（以下、輝度低下量と呼ぶ）や通電時間比を低下させる度合い（以下、通電時間低下量）を変更してもよい。夜間時間が短い夏季（例えば、５月から８月）には輝度低下量又は通電時間低下量を大きくし、夜間時間が短い冬季（例えば、１１月から２月）には輝度を低下させる輝度低下量又は通電時間低下量を大きくする。また、緯度が高い地点ほど、時季間の輝度低下量又は通電時間低下量の差を大きくする。
そのために、計時部１１２は、例えば日付を計測し、計測した日付を表す日付情報を輝度制御部１１６に出力する。輝度制御部１１６は、予め日付情報毎に輝度を表す輝度情報が記憶されている記憶部を備えておく。そして、記憶部から計時部１１２から入力された日付情報に対応する輝度情報を読み出し、読み出した輝度情報を用いて低下させようとする輝度を定めるようにしてもよい。
【００７１】
上述では、表示駆動部１１５、輝度制御部１１６は、計時部１１２から入力された時刻信号、又は発振部１３から入力された計時基準信号に基づいて、第１の時間又は第２の時間が経過したか否かを判断する場合を例にとって説明した。しかしながら、上述した実施形態ではこれには限られない。上述した実施形態では、計時部１１２が第１の時間又は第２の時間が経過したか否かを判断し、判断したことを表す時間経過信号を表示駆動部１１５、輝度制御部１１６に出力してもよい。表示駆動部１１５、輝度制御部１１６は、計時部１１２から入力された時間経過信号に基づいて、上述の第１の時間又は第２の時間が経過した後の処理を実行するようにする。
【００７２】
上述では、表示駆動部１１５、輝度制御部１１６は、距離計測部２１１から入力された距離情報に基づいて、第１の距離又は第２の距離が経過したか否か判断する場合を例にとって説明したが、上述した実施形態ではこれには限られない。上述した実施形態では、距離計測部２１１が第１の距離又は第２の距離が経過したか否かを判断し、判断したことを表す距離経過信号を表示駆動部１１５、輝度制御部１１６に出力してもよい。表示駆動部１１５、輝度制御部１１６は、距離計測部２１１から入力された距離情報に基づいて、上述の第１の距離又は第２の距離が経過した後の処理を実行するようにする。
【００７３】
上述では、計数した歩数を換算した距離を表す距離情報を用いる場合を例にとって説明したが、本実施形態ではこれには限られない。本実施形態では、計数した歩数を距離情報として用いてもよい。
【００７４】
なお、上述した実施形態における電子機器１、２の一部、例えば、モード切替部１１１、計時部１１２、表示駆動部１１５、及び輝度制御部１１６をコンピュータで実現するようにしても良い。その場合、この制御機能を実現するためのプログラムをコンピュータ読み取り可能な記録媒体に記録して、この記録媒体に記録されたプログラムをコンピュータシステムに読み込ませ、実行することによって実現しても良い。なお、ここでいう「コンピュータシステム」とは、電子機器１、２に内蔵されたコンピュータシステムであって、ＯＳや周辺機器等のハードウェアを含むものとする。また、「コンピュータ読み取り可能な記録媒体」とは、フレキシブルディスク、光磁気ディスク、ＲＯＭ、ＣＤ−ＲＯＭ等の可搬媒体、コンピュータシステムに内蔵されるハードディスク等の記憶装置のことをいう。さらに「コンピュータ読み取り可能な記録媒体」とは、インターネット等のネットワークや電話回線等の通信回線を介してプログラムを送信する場合の通信線のように、短時間、動的にプログラムを保持するもの、その場合のサーバやクライアントとなるコンピュータシステム内部の揮発性メモリのように、一定時間プログラムを保持しているものも含んでも良い。また上記プログラムは、前述した機能の一部を実現するためのものであっても良く、さらに前述した機能をコンピュータシステムにすでに記録されているプログラムとの組み合わせで実現できるものであっても良い。
また、上述した実施形態における電子機器１、２の一部、または全部を、ＬＳＩ（Ｌａｒｇｅ  Ｓｃａｌｅ  Ｉｎｔｅｇｒａｔｉｏｎ）等の集積回路として実現しても良い。電子機器１、２の各機能ブロックは個別にプロセッサ化してもよいし、一部、または全部を集積してプロセッサ化しても良い。また、集積回路化の手法はＬＳＩに限らず専用回路、または汎用プロセッサで実現しても良い。また、半導体技術の進歩によりＬＳＩに代替する集積回路化の技術が出現した場合、当該技術による集積回路を用いても良い。
【００７５】
以上、図面を参照してこの発明の一実施形態について詳しく説明してきたが、具体的な構成は上述のものに限られることはなく、この発明の要旨を逸脱しない範囲内において様々な設計変更等をすることが可能である。
【符号の説明】
【００７６】
１、２…電子機器、１１、２１…ＣＰＵ、１１１…モード切替部、１１２…計時部、
１１３…表示制御部、１１５…表示駆動部、１１６…輝度制御部、
１１６１−１〜１１６１−３…端子、１１６２…可動切片、
１２…入力部、１３…発振部、１４…表示ユニット、１５…表示部、１５１…液晶パネル、１５２、１５３…基板、１５４…液晶層、１５５…表示窓、
１６…照明部、１６１…発光部、１６２−１、１６２−２…抵抗部、１７…データ記憶部、
１８…報音部、１９…電源部、２１１…距離計測部、２２…加速度検出部
【図１】
2013156164.tif 000004
【図２】
2013156164.tif 000005
【図３】
2013156164.tif 000006
【図４】
2013156164.tif 000007
【図５】
2013156164.tif 000008
【図６】
2013156164.tif 000009
【図７】
2013156164.tif 000010
【図８】
2013156164.tif 000011
【図９】
2013156164.tif 000012